(57)【要約】【課題】  部品点数が多いことで組立性が悪い点を解決することで、部品点数を低減させて組立性の向上を図ることを可能にする。【解決手段】  略箱状のスイッチハウジング１１と、スイッチハウジング１１に支軸１２を揺動自在に支持させた操作レバー１３と、スイッチハウジング１１の底部１４に配置した左右の固定端子１５，１６と、これらの左右の固定端子１５，１６に離接させるとともに操作レバー１３を上方に付勢する可動接点１７と、操作レバー１３の上部レバー１８を突出させるとともに、下部本体１９をスイッチハウジング１１に収納するカバー２１と、からなるレバースイッチであって、可動接点１７が、ねじりコイルばねであり、ねじりコイルばね（可動接点）１７に、支軸１２に略同軸に嵌合させるコイル部２２と、左右の固定端子１５，１６に離接させる左右の腕部２３，２４と、を備えた。【選択図】      図１５
2006012442.tif 000002
【特許請求の範囲】
【請求項１】
略箱状のスイッチハウジングと、スイッチハウジングに支軸を揺動自在に支持させた操作レバーと、スイッチハウジングの底部に配置した左右の固定端子と、これらの左右の固定端子に離接させるとともに前記操作レバーを上方に付勢する可動接点と、前記操作レバーの上部レバーを突出させるとともに、下部本体を前記スイッチハウジングに収納するカバーと、からなるレバースイッチであって、
前記可動接点は、ねじりコイルばねであり、前記支軸に嵌合させるコイル部と、前記左右の固定端子に離接させる左右の腕部と、を備えたことを特徴とするレバースイッチ。
【請求項２】
前記下部本体に、前記操作レバーの先端を左に倒したときに前記右の固定端子から前記右の腕部を離間させるとともに、前記操作レバーの先端を右に倒したときに前記左の固定端子から前記左の腕部を離間させる突起部を設けたことを特徴とする請求項１記載のレバースイッチ。
【請求項３】
前記スイッチハウジングに前記支軸を昇降可能に支持する溝を形成し、前記下部本体に前記カバーの裏面に当接させるカム部を設け、
このカム部に、前記レバースイッチを初期状態に復帰させる平面部と、前記上部レバーの揺動動作で前記コイル部を昇降させる左右の角部と、を備えたことを特徴とする請求項１又は請求項２記載のレバースイッチ。
【発明の詳細な説明】
【技術分野】
【０００１】
本発明は、双方向からスイッチ動作ができるレバースイッチに関するものである。
【背景技術】
【０００２】
レバースイッチとして、左右両方向（双方向）からスイッチ動作をさせることができるスイッチ（以下、「双方向動作スイッチ」と呼ぶ）が実用に供されている。
実用のレバースイッチは、スイッチハウジングに操作レバー、固定端子（接触端子）及び可動接点（コンタクト）を設け、操作レバーで接触端子にコンタクトを離接させるようにすれば実用上十分であった。
【０００３】
このようなレバースイッチとして、スイッチハウジングに揺動自在（回転自在）に取付けた操作レバーで固定端子に可動接点を離接するものが知られている（例えば、特許文献１参照。）。
【特許文献１】特開２００２−１５０８８５号公報（第６頁、図１）
【０００４】
図１９は従来の基本構成を説明する図であり、レバースイッチ１００は、略箱形のスイッチハウジング１０１と、このスイッチハウジング１０１に回転可能に取付けた操作レバー１０２と、この操作レバー１０２で作動するためにスイッチハウジング１０１に回転可能に支持した左右のアーム１０３，１０４と、左右のアーム１０３，１０４で動かすとともにスイッチハウジング１０１に変形可能に取付けた板ばねの可動接点１０５と、この可動接点１０５を離接するためにスイッチハウジング１０１に設けた固定端子１０６，１０７，１０８と、これらの固定端子１０６，１０７，１０８、可動接点１０５、左右のアーム１０３，１０４及び操作レバー１０２の下部を一括して覆うカバー（不図示）と、からなる双方向動作スイッチである。
【０００５】
しかし、レバースイッチ１００では、固定端子１０６，１０７，１０８、可動接点１０５、左右のアーム１０３，１０４、操作レバー１０２及びカバー（不図示）で構成したものであり、部品点数が多く、組立性の悪化を招くという問題があった。
また、レバースイッチ１００では、可動接点１０５に板ばねを用いたので、板ばねを所定の形状に形成するために多くの加工が必要であり、コストの高騰を招くという欠点があった。
【０００６】
すなわち、組立性を向上させることができるとともに、コストの低減を図ることができるレバースイッチが望まれる。
【発明の開示】
【発明が解決しようとする課題】
【０００７】
本発明は、部品点数が多いことで組立性が悪い点を解決し、部品点数を低減させて組立性の向上を図ることができるレバースイッチを提供するとともに、加工が複雑な部品を使うことでコストの高騰を招く点を解決し、簡易な部品に置換えることでコストの低減を図ることができるレバースイッチを提供することを課題とする。
【課題を解決するための手段】
【０００８】
請求項１に係る発明は、略箱状のスイッチハウジングと、スイッチハウジングに支軸を揺動自在に支持させた操作レバーと、スイッチハウジングの底部に配置した左右の固定端子と、これらの左右の固定端子に離接させるとともに操作レバーを上方に付勢する可動接点と、操作レバーの上部レバーを突出させるとともに、下部本体をスイッチハウジングに収納するカバーと、からなるレバースイッチであって、可動接点が、ねじりコイルばねであり、ねじりコイルばね（可動接点）に、支軸に嵌合させるコイル部と、左右の固定端子に離接させる左右の腕部と、を備えたことを特徴とする。
【０００９】
例えば、構成部品の部品点数の低減を図ることができるとすれば、組立性を向上させることができるので好ましいことであり、加工の複雑な部品を簡易な部品に置換えることができれば、コストの低減を図るできるので好ましいことである。
【００１０】
そこで、可動接点に、ねじりコイルばね（トーションばね）を用い、ねじりコイルばねに、左右の腕部を左右の固定端子（接触端子）に離接させることで、左右の固定端子に離接させるスイッチ接点機能（可動接点）をもたせるとともに、操作レバーの支軸にコイル部を嵌合させ、左右の固定端子に離接させる（当てる）ことで、操作レバーを上方に付勢する復帰ばね機能を兼ねさせるようにした。
【００１１】
すなわち、可動接点（ねじりコイルばね）に、支軸に嵌合させるコイル部と、左右の固定端子に離接させる左右の腕部と、を備えることで、部品点数の低減を図る。
【００１２】
一般的に、スイッチ接点には板ばねを使用することが多く、例えば、板ばねでスイッチ接点機能及び復帰ばね機能を持たせる部品を形成するときには、板ばねを複雑な形状にしなければならず、部品のコストの高騰を招くことがある。従って、スイッチ接点機能及び復帰ばね機能を持たせた部品にねじりコイルばねを用いることで、加工の複雑な部品を簡易な部品に置換える。
【００１３】
請求項２に係る発明は、下部本体に、操作レバーの先端を左に倒したときに右の固定端子から右の腕部を離間させるとともに、操作レバーの先端を右に倒したときに左の固定端子から左の腕部を離間させる突起部を設けたことを特徴とする。
【００１４】
下部本体に、操作レバーの先端を左に倒したときに右の固定端子から右の腕部を離間させるとともに、操作レバーの先端を右に倒したときに左の固定端子から左の腕部を離間させる突起部を設けることで、操作レバーを左から右に倒したときにスイッチング動作をさせるとともに、操作レバーを右から左に倒したときにもスイッチング動作をさせる。
【００１５】
請求項３に係る発明は、スイッチハウジングに支軸を昇降可能に支持する溝を形成し、下部本体にカバーの裏面に当接させるカム部を設け、このカム部に、レバースイッチを初期状態に復帰させる平面部と、上部レバーの揺動動作でコイル部を昇降させる左右の角部と、を備えたことを特徴とする。
【００１６】
スイッチハウジングに支軸を昇降可能に支持する溝を形成し、下部本体にカバーの裏面に当接させるカム部を設け、このカム部に、レバースイッチを初期状態に復帰させる平面部を備えることで、操作レバーを初期状態に戻す。
【００１７】
スイッチハウジングに支軸を昇降可能に支持する溝を形成し、下部本体にカバーの裏面に当接させるカム部を設け、このカム部に、上部レバーの揺動動作でコイル部を昇降させる左右の角部を備えることで、操作レバーのスイッチング動作に連動させてねじりコイルばねを昇降させる。これにより、ねじりコイルばねの左右の腕部をそれぞれ左右の固定端子（接触端子）に摺らせるようにした。
【発明の効果】
【００１８】
請求項１に係る発明では、可動接点に、ねじりコイルばね（トーションばね）を用い、ねじりコイルばねに、左右の腕部を左右の固定端子（接触端子）に離接させたので、左右に離接させるスイッチ接点機能（可動接点）をもたすことができるとともに、操作レバーの支軸にコイル部を嵌合させ、左右の固定端子に離接させた（当てた）ので、操作レバーを上方に付勢する復帰ばね機能を兼ねさせることができる。
【００１９】
すなわち、可動接点（ねじりコイルばね）に、支軸に嵌合させるコイル部と、左右の固定端子に離接させる左右の腕部と、を備えたので、部品点数の低減を図ることができる。この結果、レバースイッチの組立性を向上させることができるという利点がある。
また、スイッチ接点機能及び復帰ばね機能を持たせた部品にねじりコイルばねを用いたので、加工の複雑な部品を簡易な部品に置換えることができる。この結果、レバースイッチのコストの低減を図るできるという利点がある。
【００２０】
請求項２に係る発明では、下部本体に、操作レバーの先端を左に倒したときに右の固定端子から右の腕部を離間させるとともに、操作レバーの先端を右に倒したときに左の固定端子から左の腕部を離間させる突起部を設けたので、操作レバーを左から右に倒したときにスイッチング動作をさせることができるとともに、操作レバーを右から左に倒したときにもスイッチング動作をさせることができる。この結果、簡易な構成にて双方向動作可能なレバースイッチを実現できるという利点がある。
【００２１】
請求項３に係る発明では、スイッチハウジングに支軸を昇降可能に支持する溝を形成し、下部本体にカバーの裏面に当接させるカム部を設け、このカム部に、レバースイッチを初期状態に復帰させる平面部を備えたので、操作レバーを初期状態に戻すことができる。この結果、レバースイッチにセンタ復帰効果を持たすことができるという利点がある。
【００２２】
さらに、このカム部に、上部レバーの揺動動作でコイル部を昇降させる左右の角部を備えたので、操作レバーのスイッチング動作に連動させてねじりコイルばねを昇降させることができる。これにより、ねじりコイルばねの左右の腕部をそれぞれ左右の固定端子（接触端子）に摺らせるようにすることができる。
この結果、左右の腕部及び左右の固定端子間にスイッチ動作にともなって、左右の腕部（可動接点）及び左右の固定端子（固定接点）間の接触抵抗を所定の状態に保つことができるというワイピング（セルフクリーニング）効果を持たせることができるという利点がある。
【発明を実施するための最良の形態】
【００２３】
本発明を実施するための最良の形態を添付図に基づいて以下に説明する。なお、図面は符号の向きに見るものとする。
図１は本発明に係るレバースイッチの斜視図であり、レバースイッチ１０は、スイッチハウジング（ハウジング）１１に操作レバー１３を揺動自在（回転自在）に取付けたスイッチであり、操作レバー１３を白抜き矢印Ａ方向に倒したときにスイッチング動作をさせることができるとともに、操作レバー１３を白抜き矢印Ｂ方向に倒したときにスイッチング動作をさせることができる双方向動作スイッチである。すなわち、左右両方向（双方向）からスイッチ動作をさせることができる。図中、１５，１６は左右の固定端子、２１はカバーを示す。
【００２４】
図２は本発明に係るレバースイッチの分解斜視図であり、レバースイッチ１０は、略箱状のスイッチハウジング１１と、スイッチハウジング１１に支軸１２を揺動自在且つ昇降自在に支持させる操作レバー１３と、スイッチハウジング１１の底部１４に配置した左右の固定端子１５，１６と、これらの左右の固定端子１５，１６に離接させるとともに操作レバー１３を上方に付勢する可動接点としてのねじりコイルばね（トーションばね）１７と、操作レバー１３の上部レバー１８を突出させるとともに、下部本体１９をスイッチハウジング１１に収納するカバー２１と、からなる。
【００２５】
図３は本発明に係るレバースイッチのスイッチハウジングの平面図であり、スイッチハウジング１１は、絶縁材料（樹脂）にて形成した略箱状のケース体であり、左右の固定端子１５，１６、ねじりコイルばね１７（図２参照）及び操作レバー１３の下部本体１９を収納する収納部３７と、この収納部３７の図面上下の縦壁３８，３８に形成することで操作レバー１３を揺動自在に、且つ昇降自在に支持する溝２６，２６と、カバー２１を被せる開口３９と、カバー２１（図２参照）を係止する係止部（段部）４１・・・（・・・は複数個を示す。以下同じ）と、図４に示す基板４３に実装時にレーバースイッチを位置決めする位置決めボス４２と、を形成したものであり、底部１４にインサートした左右の固定端子（接触端子）１５，１６を備える。
【００２６】
図４は図３の４−４線断面図であり、本発明に係るレバースイッチのスイッチハウジングの正面断面を示し、スイッチハウジング１１は、収納部３７の図面上下の縦壁３８，３８に溝２６，２６を形成することで、操作レバー１３（図２参照）を揺動自在に且つ昇降自在に支持できることを示し、基板４３に開けた位置決め孔４４に位置決めボス４２を嵌合させることで、基板４３の所定位置にマウントできることを示す。
【００２７】
図５は本発明に係るレバースイッチのスイッチハウジングの底面図であり、スイッチハウジング１１は、左右の固定端子１５，１６の先端をそれぞれスイッチハウジング１１の外形から突出させることで、図４に示す基板４３に実装し、基板４３に実装済みのレバースイッチ１０をはんだ設備（不図示）に投入し、レバースイッチ１０を基板４３にはんだ付けする際に、左右の固定端子１５，１６に十分にはんだを付けることができる。
【００２８】
図６は本発明に係るレバースイッチの操作レバーの平面図であり、図７は本発明に係るレバースイッチの操作レバーの正面図である。
操作レバー１３は、スイッチハウジング１１（図２参照）の収納部３７に収納する下部本体１９と、カバー２１（図２参照）の上方に突出させる上部レバー１８と、からなる。上部レバー１８は、下部本体１９の上部から盛り上げたレバー台４７と、このレバー台４７から突出させたレバー部４８と、からなる。
【００２９】
下部本体１９は、基部である垂直壁部４９と、この垂直壁部４９を挟んで形成した支軸１２と、垂直壁部４９の下部に形成することでねじりコイルばね１７の左右の腕部２３，２４を跳ね上げる突起部（跳ね上げ部）２５と、垂直壁部４９の上部に形成することでカバー２１の裏面２７に当てるカム部３１と、からなる。
【００３０】
カム部３１は、図３に示すレバースイッチ１０（操作レバー１３）を初期状態に復帰させる平面部３２と、図３に示す上部レバー１８（操作レバー１３）の揺動動作でコイル部２２を昇降させる左右の角部（かど部）３３，３３と、これらの角部３３，３３の外側に形成することで、操作レバー１３をセンタ復帰させる（初期位置に復帰させる）円弧部３４，３４と、からなる。なお、円弧部３４，３４は、支軸１２を中心に半径ｒで描いた円の一部である。
【００３１】
図８は本発明に係るレバースイッチの操作レバーの側面図であり、支軸１２は、縦壁３８，３８の一方側に延出した長軸部５１と、縦壁３８，３８（図２参照）の他方側に延出した短軸部５２と、からなる。長軸部５１は、ねじりコイルばね１７（図２参照）のコイル部２２を貫通させるとともに、スイッチハウジング１１の溝２６，２６の一方に嵌合させる軸であり、短軸部５２はスイッチハウジング１１（図２参照）の溝２６，２６の他方のみに嵌合させる軸である。
【００３２】
図９は本発明に係るレバースイッチのカバーの平面図であり、図１０は本発明に係るレバースイッチのカバーの側面図である。
カバー２１は、下部本体１９（図２参照）のカム部３１を当てる蓋部５４と、この蓋部５４に開けることで操作レバー１３の上部レバー１８を突出させるレバー開口５５と、蓋部５４の図面上下を曲げ形成することでスイッチハウジング１１（図２参照）の係止部４１・・・に係止する爪部５６・・・と、を形成したものである。
【００３３】
図１１は本発明に係るレバースイッチの可動接点（ねじりコイルばね）の正面図であり、ねじりコイルばね（トーションばね）１７は、ベリリウム銅、りん青銅若しくは洋白などの銅系ばね材料で形成し、これらの銅系ばね材料に金メッキを施した部材であり、支軸１２（図２参照）の長軸部５１に略同軸に嵌合させるコイル部２２と、左右の固定端子１５，１６に離接させる左右の腕部２３，２４と、からなる。
【００３４】
図１２は本発明に係るレバースイッチの平面図であり、図１３は本発明に係るレバースイッチの正面図であり、図１４は本発明に係るレバースイッチの側面図である。
レバースイッチ１０は、スイッチハウジング１１に操作レバー１３の支軸１２（図２参照）を揺動自在に支持させ、スイッチハウジング１１の底部１４に左右の固定端子１５，１６を配置し、これらの左右の固定端子１５，１６に離接させるとともに操作レバー１３を上方に付勢するねじりコイルばね（可動接点）１７介在させ、操作レバー１３の上部レバー１８をカバー２１の外に突出させ、下部本体１９（図２参照）をスイッチハウジング１１に収納したレバースイッチであって、操作レバー１３でねじりコイルばね１７を操作し、このねじりコイルばね１７を左右の固定端子１５，１６に離接させ、スイッチング動作をさせる双方向動作スイッチであることを示す。
【００３５】
図１５は図１の１５−１５線断面図であり、レバースイッチ１０の正面断面を示す。
レバースイッチ１０は、略箱状のスイッチハウジング１１と、スイッチハウジング１１に支軸１２を揺動自在（回転自在）に支持させた操作レバー１３と、スイッチハウジング１１の底部１４に配置した左右の固定端子１５，１６と、これらの左右の固定端子１５，１６に離接させるとともに操作レバー１３を上方に付勢する可動接点１７と、操作レバー１３の上部レバー１８を突出させるとともに、下部本体１９をスイッチハウジング１１に収納するカバー（ケース）２１と、からなるレバースイッチであって、可動接点１７が、ねじりコイルばねであり、ねじりコイルばね（可動接点）１７に、支軸１２に略同軸に嵌合させるコイル部２２と、左右の固定端子１５，１６に離接させる左右の腕部２３，２４と、を備えたものと言える。
【００３６】
例えば、構成部品の部品点数の低減を図ることができるとすれば、組立性を向上させることができるので好ましいことであり、加工の複雑な部品を簡易な部品に置換えることができれば、コストの低減を図るできるので好ましいことである。
【００３７】
そこで、可動接点１７に、ねじりコイルばね（トーションばね）を用い、ねじりコイルばね１７に、左右の腕部２３，２４を左右の固定端子（接触端子）１５，１６に離接させることで、左右の固定端子１５，１６に離接させるスイッチ接点機能（可動接点）をもたせるとともに、操作レバー１３の支軸１２にコイル部２２を嵌合させ、左右の固定端子１５，１６に離接させる（当てる）ことで、操作レバー１３を上方に付勢する復帰ばね機能を兼ねさせるようにした。
【００３８】
すなわち、可動接点（ねじりコイルばね）１７に、支軸１２に略同軸に嵌合させるコイル部２２と、左右の固定端子１５，１６に離接させる左右の腕部２３，２４と、を備えることで、部品点数の低減を図ることができる。この結果、レバースイッチの組立性を向上させることができる。
【００３９】
一般的に、スイッチ接点には板ばねを使用することが多く、例えば、板ばねでスイッチ接点機能及び復帰ばね機能を持たせる部品を形成するときには、板ばねを複雑な形状にしなければならず、部品のコストの高騰を招くことがある。
【００４０】
従って、スイッチ接点機能及び復帰ばね機能を持たせた部品にねじりコイルばね１７を用いることで、加工の複雑な部品を簡易な部品に置換えることができる。この結果、レバースイッチのコストの低減を図るできる。
【００４１】
図１６は本発明に係るレバースイッチの固定端子に可動接点を離間させた状態を示す正面断面図であり、レバースイッチ１０は、下部本体１９に、操作レバー１３の先端を左に倒したときに右の固定端子１６から右の腕部２４を離間させるとともに、操作レバー１３の先端を右に倒したときに左の固定端子１５から左の腕部２３を離間させる突起部２５を設けたものとも言える。
【００４２】
下部本体１９に、操作レバー１３の先端を左に倒したときに右の固定端子１６から右の腕部２４を離間させるとともに、操作レバー１３の先端を右に倒したときに左の固定端子１５から左の腕部２３を離間させる突起部２５を設けることで、操作レバー１３を左から右に倒したときにスイッチング動作をさせるとともに、操作レバー１３を右から左に倒したときにもスイッチング動作をさせることができる。この結果、簡易な構成にて双方向動作可能なレバースイッチ１０を実現できる。
【００４３】
また、レバースイッチ１０は、スイッチハウジング１１に支軸１２を昇降可能に支持する溝２６，２６（図２参照）を形成し、下部本体１９にカバー２１の裏面２７に当接させるカム部３１を設け、このカム部３１に、レバースイッチ１０を初期状態に復帰させる平面部３２と、上部レバー１８の揺動動作でコイル部２２を昇降させる左右の角部（かど部）３３，３３と、を備えたものとも言える。
【００４４】
スイッチハウジング１１に支軸１２を昇降可能に支持する溝２６，２６（図２参照）を形成し、下部本体１９にカバー２１の裏面に当接させるカム部３１を設け、このカム部３１に、レバースイッチ１０を初期状態に復帰させる平面部３２を備えることで、操作レバー１３を初期状態に戻すことができる。この結果、レバースイッチ１０にセンタ復帰効果を持たすことができる。
【００４５】
さらに、このカム部３１に、上部レバー１８の揺動動作でコイル部２２を昇降させる左右の角部３３を備えることで、操作レバー１３のスイッチング動作に連動させてねじりコイルばね１７を昇降させる。これにより、ねじりコイルばね１７の左右の腕部２３，２４をそれぞれ左右の固定端子（接触端子）１５，１６に摺らせるようにした。
【００４６】
この結果、左右の腕部２３，２４及び左右の固定端子１５，１６間にスイッチ動作にともなって、左右の腕部（接点）２３，２４及び左右の固定端子（固定接点）１５，１６間の接触抵抗を所定の状態に保つことができるというワイピング（セルフクリーニング）効果を持たせることができる。
【００４７】
以上に説明したレバースイッチ１０の作用を説明する。
図１７（ａ）〜（ｃ）は本発明に係るレバースイッチのＯＮ動作モードを示す作用説明図である。
（ａ）において、レバースイッチ１０の初期状態では、操作レバー１３はスイッチハウジング１１のセンタＣに垂直に起立した状態にあり、左の固定端子１５に左の腕部２３の先端を当接させた状態にあるとともに、右の固定端子１５に右の腕部２４の先端を当接させた状態にある。
【００４８】
また、左右の腕部２３，２４には操作レバー１３の突起部２５を離した状態にある。すなわち、電気的には、左右の固定端子１５，１６同士がねじりコイルばね１７を介して導通状態（ＯＮ状態）にある。
【００４９】
（ｂ）において、白抜き矢印で示す作動片６１で操作レバー１３を図面左に押すことで、操作レバー１３を矢印ａ１の如く回転（揺動）させる。この状態では、右の腕部２４に操作レバー１３の突起部２５を当てただけの状態なので、左右の固定端子１５，１６同士はねじりコイルばね１７を介して導通状態を保った状態にある。
【００５０】
（ｃ）において、さらに、白抜き矢印で示す作動片６１で操作レバー１３を図面左に押すことで、操作レバー１３を矢印ａ２の如く回転（揺動）させ、操作レバー１３の突起部２５で右の腕部２４を跳ね上げる。すなわち、右の固定端子１６から右の腕部２４を離間させたので、レバースイッチ１０はＯＮ状態からＯＦＦ状態に移行する。
【００５１】
図１８（ａ）〜（ｃ）は本発明に係るレバースイッチのＯＦＦ動作モードを示す作用説明図である。
（ａ）において、さらに、白抜き矢印で示す作動片６１で操作レバー１３を図面左に押すことで、操作レバー１３を矢印ａ３の如く回転（揺動）させ、操作レバー１３の突起部２５で右の腕部２４を大きく跳ね上げる。なお、カム部３１について言及すれば、カム部３１は、角部（かど部）３３を通過させ、円弧部３４まで移行させた状態である。
【００５２】
ところで、このときの右の固定端子１６と右の椀部２４との離間距離をＬとするときに、レバースイッチ１０では、離間距離Ｌを十分に（大きく）設定することができるので、ＯＮ状態−ＯＦＦ状態を明確に設定することができる。この結果、レバースイッチ１０の信頼性の向上を図ることができる。
【００５３】
また、スイッチハウジング１１に支軸１２を昇降可能に支持する溝２６，２６（一方不図示）を形成し、操作レバー１３の下部本体１９にカバー２１の裏面に当接させるカム部３１を設け、このカム部３１に、レバースイッチ１０を初期状態に復帰させる平面部３２と、上部レバー１８（操作レバー１３）の揺動動作でコイル部２２を昇降させる左右の角部３３を設けたので、操作レバー１３を矢印ａ３の如く回転（揺動）させると、操作レバー１３自身が矢印ａ４の如く移動（下降）し、左の固定端子１５に対して左の椀部２３の先端を矢印ａ５の如く摺らせるらす（摺動させる）ことができる。
この結果、左の腕部（接点）２３及び左の固定端子（固定接点）１５間にワイピング（セルフクリーニング）効果をもたせることができる。
【００５４】
（ｂ）において、（ａ）に示す作動片６１を取去る若しくは通過させたときに、操作レバー１３を円弧部３４から平面部３２に矢印ａ６の如く移行させ、ねじりコイルばね１７の復帰作用でセンタ復帰させる（初期状態に戻す）ことができる。
【００５５】
詳細には、スイッチハウジング１１に支軸１２を揺動自在且つ昇降自在に操作レバー１３を支持させ、ねじりコイルばね１７で操作レバー１３を付勢し、カバー２１の裏面２７に支軸１２を中心に形成した円弧部３４（カム部３１の一部）を当てるようにしたので、作動片６１を取去る若しくは通過させたときには、ねじりコイルばね１７で操作レバー１３を、スイッチハウジング１１のセンタＣに垂直に起立した状態に戻すことができる。
【００５６】
このときに、操作レバー１３自身は矢印ａ７の如く移動（上昇）し、左の固定端子１５に対して左の椀部２３の先端を矢印ａ８の如く摺らせ（摺動させ）、左の腕部（可動接点）２３及び左の固定端子（固定接点）１５をワイピング（セルフクリーニング）することができる。また、右の固定端子１６に対して右の椀部２４の先端も同様にワイピングすることができる。
なお、電気的には、レバースイッチ１０はＯＦＦ状態からＯＮ状態に移行する。
【００５７】
（ｃ）において、作動片６１で操作レバー１３を図面右に押すことで、操作レバー１３を矢印ａ９の如く回転（揺動）させ、操作レバー１３の突起部２５で左の腕部２３を跳ね上げる。
操作レバー１３は矢印ａ１０の如く移動し、右の固定端子１６に対して右の椀部２４の先端を矢印ａ１１の如く摺らせ（摺動させ）、右の腕部（接点）２４及び右の固定端子（固定接点）１５間をワイピング（セルフクリーニング）することができる。
なお、電気的には、レバースイッチ１０はＯＮ状態からＯＦＦ状態に移行する。
【００５８】
尚、本発明に係るレバースイッチは、図１５に示すように、ねじりコイルばね１７の左右の椀部２３，２４の先端をストレートに形成したが、これに限るものではなく、左右の椀部の先端をカーリング（曲げ形成）したものであってもよい。
【００５９】
本発明に係るレバースイッチは、図１５に示すように、左右の１個ずつ固定端子１５，１６に１個の捩りコイルばね１７をスイッチングさせるようにしたが、これに限るものではなく、左右の固定端子をそれぞれ複数個設け、これらの複数の固定端子にそれぞれねじりコイルばねを設け、複数の回路接点を同時にスイッチングさせるようにしたものであってもよい。
【産業上の利用可能性】
【００６０】
本発明に係るレバースイッチは、携帯電話やデジタルカメラなどの小型携帯機器に搭載するのに好適である。
【図面の簡単な説明】
【００６１】
【図１】本発明に係るレバースイッチの斜視図である。
【図２】本発明に係るレバースイッチの分解斜視図である。
【図３】本発明に係るレバースイッチのスイッチハウジングの平面図である。
【図４】図３の４−４線断面図である。
【図５】本発明に係るレバースイッチのスイッチハウジングの底面図である。
【図６】本発明に係るレバースイッチの操作レバーの平面図である。
【図７】本発明に係るレバースイッチの操作レバーの正面図である。
【図８】本発明に係るレバースイッチの操作レバーの側面図である。
【図９】本発明に係るレバースイッチのカバーの平面図である。
【図１０】本発明に係るレバースイッチのカバーの側面図である。
【図１１】本発明に係るレバースイッチの可動接点（ねじりコイルばね）の正面図である。
【図１２】本発明に係るレバースイッチの平面図である。
【図１３】本発明に係るレバースイッチの正面図である。
【図１４】本発明に係るレバースイッチの側面図である。
【図１５】図１の１５−１５線断面図である。
【図１６】本発明に係るレバースイッチの固定端子に可動接点を離間させた状態を示す正面断面図である。
【図１７】本発明に係るレバースイッチのＯＮ動作モードを示す作用説明図である。
【図１８】本発明に係るレバースイッチのＯＦＦ動作モードを示す作用説明図である。
【図１９】従来の基本構成を説明する図である。
【符号の説明】
【００６２】
１０…レバースイッチ、１１…スイッチハウジング、１２…支軸、１３…操作レバー、１４…底部、１５，１６…左右の固定端子、１７…可動接点（ねじりコイルばね）、１８…上部レバー、１９…下部本体、２１…カバー、２２…コイル部、２３，２４…左右の腕部、２５…突起部、２６…溝、２７…裏面、３１…カム部、３２…平面部、３３…角部
【図１】
2006012442.tif 000003
【図２】
2006012442.tif 000004
【図３】
2006012442.tif 000005
【図４】
2006012442.tif 000006
【図５】
2006012442.tif 000007
【図６】
2006012442.tif 000008
【図７】
2006012442.tif 000009
【図８】
2006012442.tif 000010
【図９】
2006012442.tif 000011
【図１０】
2006012442.tif 000012
【図１１】
2006012442.tif 000013
【図１２】
2006012442.tif 000014
【図１３】
2006012442.tif 000015
【図１４】
2006012442.tif 000016
【図１５】
2006012442.tif 000017
【図１６】
2006012442.tif 000018
【図１７】
2006012442.tif 000019
【図１８】
2006012442.tif 000020
【図１９】
2006012442.tif 000021